(57)【要約】      （修正有）【課題】維持管理および保守点検が容易で、固形化した油脂成分などを定期的に取り除く作業が不要であるとともに、油脂成分を分解して下水排除基準値以下にし、これにより雑排水をそのまま下水道などに排出することを可能にする汚水処理装置を提供する。【解決手段】取入部３および雑排水を外部に排出するための送出部５を備えた貯留槽に貯留された雑排水に空気を供給して雑排水を攪拌する空気供給手段２６と、貯留槽に貯留された雑排水を循環させる循環装置２８とを有し、空気供給手段には圧縮空気供給源から供給されてくる圧縮空気を一時的に貯留し複数の吐出口から圧縮空気を排出する空気導入用筒体が具備され、循環装置２８には雑排水を通過させて貯留槽の上流側に雑排水を配送する水循環用筒体が具備され、空気導入用筒体と水循環用筒体の少なくとも一方の内部には複数の永久磁石を収容する装置。【選択図】図１
2009160549.tif 000002
【特許請求の範囲】
【請求項１】
雑排水が取り入れられる取入部および雑排水を外部に排出するための送出部を備えた貯留槽と、
前記貯留槽内を複数の小部屋に画成し上下方向に配置される隔壁板と、
前記貯留槽内に貯留された雑排水に空気を供給して前記雑排水を攪拌する空気供給手段と、
前記貯留槽内に貯留された雑排水を循環させる循環装置と、を有し、
前記空気供給手段には、圧縮空気供給源から供給されてくる圧縮空気を一時的に貯留し、さらに複数の吐出口から前記圧縮空気を排出する空気導入用筒体が具備され、
前記循環装置には、雑排水を通過させて前記貯留槽の上流側に前記雑排水を配送する水循環用筒体が具備され、
前記空気導入用筒体と前記水循環用筒体の少なくとも一方の内部には、それぞれ複数の永久磁石が収容されていることを特徴とする汚水処理装置。
【請求項２】
前記永久磁石は、ＮＳ，ＳＮ，ＮＳと磁極同士が反発しあう態様で所定間隔置きに収容されていることを特徴とする請求項１に記載の汚水処理装置。
【請求項３】
前記水循環用筒体の出口方向が、地軸の北を向いて配されていることを特徴とする請求項１に記載の汚水処理装置。
【請求項４】
前記雑排水が、油脂成分を含む排水であることを特徴とする請求項１に記載の汚水処理装置。
【発明の詳細な説明】
【技術分野】
【０００１】
本発明は、例えば、厨房などで発生した油脂成分を含む雑排水を、貯留槽内に収容し循環させながら下水排出基準に従ってそのまま下水管などに排出することを可能とする汚水処理装置に関する。
【背景技術】
【０００２】
例えば、厨房や食品加工工場などで発生した雑排水には多くの有機物や油脂成分が含まれている。また、これら食品関係以外でも、例えば工場から排出される雑排水の中には、有機物や油脂成分を含んだものが多い。
【０００３】
このような雑排水は、そのまま下水管などに排出することができないため、ストレーナを介して大きな屑などが除去されるとともに、貯留槽内にグリース阻集器と称される選別器が設置され、これにより、油脂成分が水から分離されている。
【０００４】
従来、知られているグリース阻集器としては、図５に示したように非特許文献１に開示されたものがある。このグリース阻集器２は、雑排水の流入側開口Ａと一次処理水の流出側開口Ｂを備えた貯留槽３内に、上下方向から有効高さの異なる複数の隔壁板４，６，８，１０，１２などを配置し、これら隔壁板の下方に比較的綺麗な水を案内するとともに、最下流に設置された流出側開口Ｂを介して槽外に排出している。
【０００５】
一方、油脂成分などは標準水位面の上方に分離されるので、この浮遊した油脂成分はバキューム装置で定期的に吸い上げて、産業廃棄物業者の手により処理されるのが一般的である。
【０００６】
なお、飲食店や惣菜店、レストラン、ホテル、給食センターや社員食堂など厨房設備をもつ事業所では、排水処理に、調理や食器洗いに伴う油脂成分や残渣物を一時的に溜めておくグリース阻集器の設置が義務づけられている。そして、グリース阻集器を介して法規で規定された下水排除基準値に従って下水道に放出されている。
【０００７】
例えば、東京都２３区の下水排除基準では、動植物油のノルマルヘキサン抽出物質は、３０ｍｍ／リットル以下、生物化学的酸素要求量（ＢＯＤ）は６００ｍｇ／リットル未満などに規定されている。
【非特許文献１】社団法人  空気調和・衛生工学会  編集・著作「グリース阻集器（１９９９年７月３０日  発行）第２頁
【発明の開示】
【発明が解決しようとする課題】
【０００８】
ところで、上記のようなグリース阻集器２を食品関係の施設などに設置した場合、貯留槽３内に阻集された肉・野菜などの残渣物や油脂成分は定期的に回収除去しなければならないため、その維持管理には十分な留意が必要になるとともに、回収作業が手間であった。また、多量の雑排水が発生する施設では、数日毎に油脂成分を吸い上げなければならないのが現状である。
【０００９】
また、このよなグリース阻集器２の機能を十分に活かすために、かごの掃除、グリースの除去、槽内部の掃除、トラップ内の掃除等の保守管理は欠かせない作業になっている。しかしながら、とかく悪臭を放ったり、不衛生になりがちというのが現状である。
【００１０】
本発明は、このような実情に鑑み、維持管理および保守点検が容易で、固形化した油脂成分などを定期的に取り除く作業が不要であるとともに、油脂成分を効果的に分解して下水排除基準値以下にし、雑排水をそのまま下水道などに排出することを可能にし、さらには悪臭を放つこともない汚水処理装置を提供することを目的としている。
【課題を解決するための手段】
【００１１】
上記目的を達成するための本発明は、
雑排水が取り入れられる取入部および雑排水を外部に排出するための送出部を備えた貯留槽と、
前記貯留槽内を複数の小部屋に画成し上下方向に配置される隔壁板と、
前記貯留槽内に貯留された雑排水に空気を供給して前記雑排水を攪拌する空気供給手段と、
前記貯留槽内に貯留された雑排水を循環させる循環装置と、を有し、
前記空気供給手段には、圧縮空気供給源から供給されてくる圧縮空気を一時的に貯留し、さらに複数の吐出口から前記圧縮空気を排出する空気導入用筒体が具備され、
前記循環装置には、雑排水を通過させて前記貯留槽の上流側に前記雑排水を配送する水循環用筒体が具備され、
前記空気導入用筒体と前記水循環用筒体の少なくとも一方の内部には、それぞれ複数の永久磁石が収容されていることを特徴としている。
【００１２】
このような構成であれば、圧縮空気の供給により雑排水が攪拌されるので、油脂成分を排水中に混濁、乳化させることができるのは勿論のこと、雑排水中の微生物を増殖させることができる。これにより油脂成分の水と二酸化炭素への分解が促進する。また、油脂性堆積物を断続的に溶解し、水質を改善することができる。
【００１３】
さらに、磁石の作用により、磁場との関係で貯留槽内にローレンツ力が発生し、一定の流速を持って流れる貯留された雑排水を振動させ、これによりクラスターの細分化が促進され、水本来の有する溶解力、洗浄力、殺菌作用など、水の活力を取り戻すことができる。また、磁石の作用により、油、塩分などを含む汚水が電気分解される。
【００１４】
ここで、前記永久磁石は、ＮＳ，ＳＮ，ＮＳと磁極同士が反発しあう態様で所定間隔置きに収容されていることが好ましい。
このように磁力線同士が反発しあう態様で配置されることにより、雑排水の処理能力が向上した。これは、反発磁力が外方に作用することによりクラスターの細分化が進んだためと考えられる。
【００１５】
一方、本発明では、前記水循環用筒体の出口方向が、地軸の北を向いて配されていることが好ましい。これにより、雑排水の処理能力が向上した。これは、磁力の強度および電流の流れ方向が整えられたためと考えられる。
【００１６】
また、本発明では、前記雑排水が、油脂成分を含む雑排水に好ましく適用することができる。
このように、油脂成分を含む雑排水に適用すれば、油脂成分の適正な処理に困難を極めていた厨房や食品加工工場、工場などで有効に活用することができる。また、設備投資が安価であり、メンテナンスの手間も可及的に少なくすることができる。
【発明を実施するための最良の形態】
【００１７】
以下、図面を参照しながら、本発明の実施の形態について説明する。
図１は、本発明の一実施例にかかる汚水処理装置を示したものである。
この汚水処理装置２０は、雑排水が排出される厨房や、食品加工工場などの敷地内に設
置されるものである。
【００１８】
この汚水処理装置２０は、雑排水が連続的に収容される貯留槽２２と、この貯留槽２２内を複数の小部屋に画成する複数の隔壁板２４と、貯留槽２２内に圧縮空気を供給する空気供給手段２６と、貯留槽２２内に貯留された雑排水を循環させる循環装置２８とを有している。
【００１９】
貯留槽２２は、槽本体２２ａと蓋体２２ｂとから構成され、槽本体２２ａは、ＦＲＰなどの樹脂あるいはコンクリートなどから形成されているが、材質は特に限定されるものではない。貯留槽２２には、雑排水が内部に取り入れられる取入部３と、雑排水を外部に排出する送出部５とが具備されている。なお、取入部３の上流には、厨房などの雑排水が集積されるマンホール７が設置され、このマンホール７を介して雑排水が槽本体２２ａ内に順次供給される。
【００２０】
一方、蓋体２２ｂは、耐荷重性のある鋼板などから形成されている。
複数の隔壁板２４は、その下端２４ａが槽本体２２ａの底面より高い位置に配置され、これにより槽本体２２ａでは、各小部屋Ａ，Ｂ，Ｃ，Ｄ間で流通が可能にされている。
【００２１】
空気供給手段２６は、ブロワ３０と、このブロア３０に接続された空気供給管３２とから構成される。空気供給管３２は、主に槽外に配置される送風管３１と、槽本体２２ａ内において、槽本体２２ａの両長側壁に沿って水平方向に配管された塩化ビニル製の直線状配管３２ａ、３２ｂと、これら直線状配管３２ａ、３２ｂから下方に分岐された複数の下方分岐配管３２ｃ、３２ｃ、…と、これら長側壁に沿う両側の下方分岐配管３２ｃ、３２ｃ同士を連結する複数の連結配管３２ｄ、３２ｄ、…とを有している。そして、これら連結配管３２ｄの途中には、それぞれ圧縮空気が導入される圧縮空気導入用筒体３４が上下に設置されている。なお、この圧縮空気導入用筒体３４内には、多数の微細孔が形成されるとともに、図４に示したように、多数の永久磁石からなる磁気装置５０が内蔵されている。この磁気装置５０については後述する。
【００２２】
一方、雑排水の循環装置２８は、水中ポンプ３５を用いて槽本体２２ａ内の雑排水を繰り返し循環させるためのもので、これにより雑排水内の油脂成分の分解が促進される。この循環装置２８は、水中ポンプ３５と、この水中ポンプ３５により吸引された水分を送り出す配管系３６とから構成されている。なお、配管系３６には、ゴミなどを取り除くストレーナ３７が設置されるとともに、槽本体２２ａ内への水の送出口となる水循環用筒体４０とが具備されている。この水循環用筒体４０内にも，上記空気導入用筒体３４と同様に、永久磁石による磁気装置５０が収容されている。
【００２３】
以下に、これら空気導入用筒体３４と水循環用筒体４０に収容された複数の永久磁石からなる磁気装置５０について、図４を参照しながら説明する。
なお、空気導入用筒体３４および水循環用筒体４０に収容された磁気装置５０は、実質的に同様に形成されたものであるため、水循環用筒体４０内に構成された磁気装置５０について説明する。
【００２４】
先ず、水循環用筒体４０は、ＳＵＳ３０４などの磁性を有するステンレス鋼板から形成されている。そして、この筒体４０内に同じくステンレス製の軸５４が収容され、この軸５４の周囲に複数の永久磁石５６が所定の間隔で取り付けられている。
【００２５】
さらに、この永久磁石５６は円盤状に形成されたもので、１つの磁石のガウスは、１０００ガウス以上あることが好ましい。
また、１つの磁石５６と隣接する磁石５６の間には、ステンレス製のカラー５８が介装
され、本実施例ではこれらのカラー５８により、例えば４０φの永久磁石５６がＳＮ、ＮＳ，ＳＮ、ＮＳと互いに反発しあう態様で２５ｍｍ間隔に並べられている。
【００２６】
さらに、最外方の磁石５６の側方には、ダブルナット６０が設置され、これらのナット６０により磁石５６の固定と抜けが防止されている。
このように形成された磁気装置５０が、圧縮空気導入用筒体３４と水循環用筒体４０との内部に収容されている。なお、雑排水を循環させる循環装置２８の水循環用筒体４０は、ステンレスに代えて鋼で形成しても良い。しかしながら、水循環用筒体４０の内部を水が循環して流れるため、酸化を防止するために、水循環用筒体４０の外方に例えば、塩化ビニルなどからなるカバー部材を取り付けることもできる。
【００２７】
本実施例では、磁気装置５０の永久磁石５６の磁水循環用筒体４０極は、ＳＮ，ＮＳ，ＳＮと互いに反発しあう対応で設置したが、ＳＮ，ＳＮ，ＳＮと互いに引き合う対応で設置しても良い。
【００２８】
また、水循環用筒体４０を、その配管系３６の取り付け部に対し角度調整可能にしておき、その筒体４０の出口を地軸の方向（すなわち南北の方向）に向けて取り付けることが好ましい。このような方向に水循環用筒体４０を取り付ければ、油脂成分の分解が促進されることが確認された。
【００２９】
なお、貯留槽本体２２ａ内の設置スペースに余裕があれば、空気導入用筒体３４も、地軸の方向に向けることが好ましい。
空気導入用筒体３４および水循環用筒体４０に収容された磁気装置５０は、上記のように構成されているが、空気導入用筒体３４は、圧縮空気を槽内に排出する必要があるため、上記の構成に加えて、筒体３４に多数の小孔が設けられている。また、その外側にカバー部材を設ける場合には、そのカバー部材にも空気孔を設ける必要がある。
【００３０】
本実施例に係る汚水処理装置は上記のように構成されているが、以下に作用について説明する。
今、厨房などで発生した油脂成分を含む雑排水がマンホール７を介して貯留槽２２の取入部３に流入されている。また、貯留槽２２内では、循環装置２８により雑排水が槽本体２２ａ内を循環しているとともに、空気供給手段２６の駆動により、ブロア３０から圧縮空気が槽本体２２ａ内に送り込まれている。そして、その圧縮空気は、圧縮空気導入用筒体４０に設けた微細孔を介して、槽本体２２ａの上層部および下層部から発散されている。
【００３１】
この状態で槽本体２２ａ内では、圧縮空気が発散されることにより水分子のクラスターの細分化が促進されている。
また、圧縮空気の供給は、攪拌の他、ＰＨの上昇（アルカリ化）をもたらし、その結果、有用バクテリアの増殖し易い環境を創出するものと考えられる。
【００３２】
また、空気供給手段２６と水循環装置２８における各磁気装置５０により、油、塩分などを含む汚水が電気分解される。
さらに本発明において、磁気装置５０の作用は、磁力が一定の流速を持った水に作用し、分子クラスターを微細化し浄化作用を発揮していると考えられる。
【００３３】
以上、本発明の一実施例について説明したが、本発明は上記実施例に何ら限定されない。
例えば、上記実施例では、空気導入用筒体３４と水循環用筒体４０の両方に永久磁石による磁気装置５０を構成したが、磁気装置５０はいずれ一方に構成されていれば良い。例
えば、油脂成分の少ない施設などにおいては、空気導入用筒体３４内の磁気装置５０を省略することもできる。
【図面の簡単な説明】
【００３４】
【図１】図１は本発明の一実施例に係る汚水処理装置の平面図である。
【図２】図２は図１に示した汚水処理装置の正面図である。
【図３】図３は図１に示した汚水処理装置の右側面図である。
【図４】図４は図１に示した汚水処理装置に採用された磁気装置の断面図である。
【図５】図５は従来の汚水処理装置の概略図である。
【符号の説明】
【００３５】
３        取入部
５        送出部
７        マンホール
２０      汚水処理装置
２２      貯留槽
２２ａ    槽本体
２２ｂ    蓋体
２２ａ    槽本体
２４      隔壁板
２６      空気供給手段
２８      循環装置
３０      ブロア
３１      送風管
３２      空気供給管
３２ａ    直線状配管
３２ｃ    下方分岐配管
３２ｄ    連結配管
３４      圧縮空気導入用筒体
３５      水中ポンプ
３６      配管系
３７      ストレーナ
４０      水循環用筒体
５０      磁気装置
５６      磁石
５８      カラー
Ａ，Ｂ，Ｃ，Ｄ    小部屋
【図１】
2009160549.tif 000003
【図２】
2009160549.tif 000004
【図３】
2009160549.tif 000005
【図４】
2009160549.tif 000006
【図５】
2009160549.tif 000007